(57)【要約】【課題】移動通信システムにおいて、無線エリアの共通チャネルでマルチキャストサービスデータを配信する場合に、未加入のユーザがマルチキャストサービスデータを解読できないようにし、加入ユーザに対してのみ課金が可能とする。【解決手段】マルチキャストサービスデータに対して秘匿をかけるための秘匿キーの生成方法として、ＳＧＳＮにおいて、マルチキャストサービスにそれぞれ対応して秘匿キーを生成して秘匿処理するようにする。この秘匿処理されたマルチキャストサービスデータはＲＡＮとＵＥ（端末）との間の無線エリアの共通チャネルで送信できることになり、加入していないユーザにサービスデータが解読できないようにすることができる。【選択図】　　　図４
2004032711.tif 000002
【特許請求の範囲】
【請求項１】
移動体通信システムにおいてマルチキャストサービスデータを秘匿キーにより秘匿してユーザへ配信するようにしたマルチキャストサービスデータ配信システムであって、複数のマルチキャストサービスの各々に対応して前記秘匿キーを生成する生成手段を含むことを特徴とするマルチキャストサービスデータ配信システム。
【請求項２】
前記生成手段は、マルチキャストサービスの各々と秘匿キーとの対応を予め定めた対応表を有し、ユーザからの配信要求のあったマルチキャストサービスを元に前記対応表を参照して秘匿キーを生成することを特徴とする請求項１記載のマルチキャストサービスデータ配信システム。
【請求項３】
前記生成手段は、前記ユーザからの配信要求のあったマルチキャストサービスが最初の配信要求であった場合、このマルチキャストサービスに対して未使用の秘匿キーを割当てるようにしたことを特徴とする請求項１記載のマルチキャストサービスデータ配信システム。
【請求項４】
前記生成手段は、前記マルチキャストサービスと割当てられた秘匿キーとの対応情報を格納する格納手段を有し、以後前記マルチキャストサービスと同じサービスに対する配信要求があった時、この格納手段の対応情報から秘匿キーを読出すようにしたことを特徴とする請求項３記載のマルチキャストサービスデータ配信システム。
【請求項５】
前記生成手段は、前記秘匿キーを、前記マルチキャストサービスの配信元を示すアドレスに対応して生成することを特徴とする請求項１〜４いずれか記載のマルチキャストサービスデータ配信システム。
【請求項６】
前記生成手段により生成された秘匿キーにより前記マルチキャストサービスデータに対して秘匿処理を施して要求元のユーザへ配信する秘匿処理手段と、前記秘匿キーを前記要求元のユーザへ送信する手段とを、更に含むことを特徴とする請求項１〜５いずれか記載のマルチキャストサービスデータ配信システム。
【請求項７】
移動体通信システムにおいてマルチキャストサービスデータを秘匿キーにより秘匿してユーザへ配信するようにしたマルチキャストサービスデータ配信方法であって、複数のマルチキャストサービスの各々に対応して前記秘匿キーを生成する生成ステップを含むことを特徴とするマルチキャストサービスデータ配信方法。
【請求項８】
マルチキャストサービスの各々と秘匿キーとの対応を予め定めた対応表を設けておき、前記生成ステップは、ユーザからの配信要求のあったマルチキャストサービスを元に前記対応表を参照して秘匿キーを生成することを特徴とする請求項７記載のマルチキャストサービスデータ配信方法。
【請求項９】
前記生成ステップは、前記ユーザからの配信要求のあったマルチキャストサービスが最初の配信要求であった場合、このマルチキャストサービスに対して未使用の秘匿キーを割当てるようにしたことを特徴とする請求項７記載のマルチキャストサービスデータ配信方法。
【請求項１０】
前記マルチキャストサービスと割当てられた秘匿キーとの対応情報を格納する格納手段を設けておき、前記生成ステップは、以後前記マルチキャストサービスと同じサービスに対する配信要求があった時、この格納手段の対応情報から秘匿キーを読出すようにしたことを特徴とする請求項９記載のマルチキャストサービスデータ配信方法。
【請求項１１】
前記生成ステップは、前記秘匿キーを、前記マルチキャストサービスの配信元を示すアドレスに対応して生成することを特徴とする請求項７〜１０いずれか記載のマルチキャストサービスデータ配信方法。
【請求項１２】
前記生成ステップにより生成された秘匿キーにより前記マルチキャストサービスデータに対して秘匿処理を施して要求元のユーザへ配信する秘匿処理ステップと、前記秘匿キーを前記要求元のユーザへ送信するステップとを、更に含むことを特徴とする請求項７〜１１いずれか記載のマルチキャストサービスデータ配信方法。
【請求項１３】
移動体通信システムにおいてマルチキャストサービスデータを秘匿キーにより秘匿してユーザへ配信するようにしたマルチキャストサービスデータ配信システムにおける秘匿キー生成装置であって、複数のマルチキャストサービスの各々に対応して前記秘匿キーを生成する生成手段を含むことを特徴とする秘匿キー生成装置。
【請求項１４】
前記生成手段は、マルチキャストサービスの各々と秘匿キーとの対応を予め定めた対応表を有し、ユーザからの配信要求のあったマルチキャストサービスを元に前記対応表を参照して秘匿キーを生成することを特徴とする請求項１３記載の秘匿キー生成装置。
【請求項１５】
前記生成手段は、前記ユーザからの配信要求のあったマルチキャストサービスが最初の配信要求であった場合、このマルチキャストサービスに対して未使用の秘匿キーを割当てるようにしたことを特徴とする請求項１３記載の秘匿キー生成装置。
【請求項１６】
前記生成手段は、前記マルチキャストサービスと割当てられた秘匿キーとの対応情報を格納する格納手段を有し、以後前記マルチキャストサービスと同じサービスに対する配信要求があった時、この格納手段の対応情報から秘匿キーを読出すようにしたことを特徴とする請求項１５記載の秘匿キー生成装置。
【請求項１７】
前記生成手段は、前記秘匿キーを、前記マルチキャストサービスの配信元を示すアドレスに対応して生成することを特徴とする請求項１３〜１６いずれか記載の秘匿キー生成装置。
【請求項１８】
移動体通信システムにおいてマルチキャストサービスデータを秘匿キーにより秘匿してユーザへ配信するようにしたマルチキャストサービスデータ配信システムにおける秘匿キー生成装置の動作をコンピュータにより実行させるためのプログラムであって、複数のマルチキャストサービスの各々に対応して前記秘匿キーを生成する生成ステップを含むことを特徴とするプログラム。
【請求項１９】
マルチキャストサービスの各々と秘匿キーとの対応を予め定めた対応表を設けておき、前記生成ステップは、ユーザからの配信要求のあったマルチキャストサービスを元に前記対応表を参照して秘匿キーを生成することを特徴とする請求項１８記載のプログラム。
【請求項２０】
前記生成ステップは、前記ユーザからの配信要求のあったマルチキャストサービスが最初の配信要求であった場合、このマルチキャストサービスに対して未使用の秘匿キーを割当てるようにしたことを特徴とする請求項１８記載のプログラム。
【請求項２１】
前記マルチキャストサービスと割当てられた秘匿キーとの対応情報を格納する格納手段を設けておき、前記生成ステップは、以後前記マルチキャストサービスと同じサービスに対する配信要求があった時、この格納手段の対応情報から秘匿キーを読出すようにしたことを特徴とする請求項２０記載のプログラム。
【請求項２２】
前記生成ステップは、前記秘匿キーを、前記マルチキャストサービスの配信元を示すアドレスに対応して生成することを特徴とする請求項１８〜２１いずれか記載のプログラム。
【請求項２３】
移動体通信システムにおいてマルチキャストサービスデータを秘匿キーにより秘匿してユーザへ配信するようにしたマルチキャストサービスデータ配信システムにおける秘匿キー送信装置であって、
前記ユーザからのマルチキャストサービス要求に応答して、このマルチキャストサービスに対応して生成された秘匿キーを、前記ユーザへ送信する送信手段を有することを特徴とする秘匿キー送信装置。
【請求項２４】
前記送信手段は、前記秘匿キーを、個別チャネルを用いて前記ユーザへ送信することを特徴とする請求項２３記載の秘匿キー送信装置。
【請求項２５】
移動体通信システムにおいてマルチキャストサービスデータを秘匿キーにより秘匿してユーザへ配信するようにしたマルチキャストサービスデータ配信システムにおける秘匿キー送信方法であって、
前記ユーザからのマルチキャストサービス要求に応答して、このマルチキャストサービスに対応して生成された秘匿キーを、前記ユーザへ送信する送信ステップを有することを特徴とする秘匿キー送信方法。
【請求項２６】
前記送信ステップは、前記秘匿キーを、個別チャネルを用いて前記ユーザへ送信することを特徴とする請求項２５記載の秘匿キー送信方法。
【発明の詳細な説明】
【０００１】
【発明の属する技術分野】
本発明はマルチキャストサービスデータ配信システム及びその方法並びに秘匿キー生成装置及びプログラムに関し、特に移動体通信システムにおいてビデオ映像等のサービスデータを不特定多数の移動局に対して配信するマルチキャストサービスデータ配信方式に関するものである。
【０００２】
【従来の技術】
このようなマルチキャストサービスデータ配信方式におけるマルチキャストのサービス内容としては、例えば、ビデオなどの映像を配信することである。この配信されたサービスデータを受信したいユーザは、そのサービスに加入した後に、始めて、配信されるデータを受信することが可能になるということが前提となっている。
【０００３】
移動体通信システムのマルチキャストでは、サービスデータをある無線エリアの共通な無線チャネルで配信するようになっており、これは、同じサービスデータを複数のユーザにそれぞれ専用チャネルで転送するよりも、全ユーザが受信できるある一つの共通無線チャネルで転送した方が、ユーザ個別に対応する無線チャネルを設定する必要がないので、無線基地局制御局の処理が簡単となるからである（特許文献１参照）。
【０００４】
事業者はユーザに対してサービス毎の課金をなすようになっているので、該マルチキャストサービスに加入したユーザしか該サービスデータを受けることができない。換言すれば、加入した全ユーザにサービスデータを受信できるようにしなければならない。しかしながら、上記のように、マルチキャストの特徴である、あるサービスデータを全ユーザが受信できるように、一つの共通チャネルで転送するようになっているために、加入しないユーザも受信できることになる。そこで、該サービスデータを受信するユーザに対して何らかの制限制御が必要となる。
【０００５】
ユーザの受信を制限するために、もっとも有効な手段としては、転送するサービスデータを加入したユーザしか解読できないようにすることである。これを実現するためには、サービスデータに秘匿をかけることにすれば、該サービスに加入していないユーザは解読できないようにすることができる。
【０００６】
【特許文献１】
特開２００１−７７８５９号公報（第５，６頁、図１）
【０００７】
【発明が解決しようとする課題】
しかし、現状の移動体通信システムの秘匿制御方法は、移動局毎に秘匿するための秘匿キーを生成する方式であるために、この現状の秘匿制御方法は上述したマルチキャストには、適用できないのである。なぜならば、前述したように、マルチキャストは加入した全ユーザに受信できるようにしなければならないため、特定端末対応の秘匿キーで秘匿をかけると、別の端末がそのサービスデータが受信できても、秘匿解除ができないからである。
【０００８】
本発明はかかる従来例の問題点を解消すべくなされたものであって、その目的とするところは、移動通信システムにおいて、無線エリアの共通チャネルでマルチキャストサービスデータを配信する場合に、未加入のユーザがマルチキャストサービスデータを解読できないようにし、加入ユーザに対してのみ課金が可能なマルチキャストサービスデータ配信システム及びその方法並びに秘匿キー生成装置及びプログラムを提供することにある。
【０００９】
【課題を解決するための手段】
本発明によるマルチキャストサービスデータ配信システムは、移動体通信システムにおいてマルチキャストサービスデータを秘匿キーにより秘匿してユーザへ配信するようにしたマルチキャストサービスデータ配信システムであって、複数のマルチキャストサービスの各々に対応して前記秘匿キーを生成する生成手段を含むことを特徴とする。
【００１０】
そして、前記生成手段は、マルチキャストサービスの各々と秘匿キーとの対応を予め定めた対応表を有し、ユーザからの配信要求のあったマルチキャストサービスを元に前記対応表を参照して秘匿キーを生成することを特徴とする。
【００１１】
また、前記生成手段は、前記ユーザからの配信要求のあったマルチキャストサービスが最初の配信要求であった場合、このマルチキャストサービスに対して未使用の秘匿キーを割当てるようにしたことを特徴とする。また、前記生成手段は、前記マルチキャストサービスと割当てられた秘匿キーとの対応情報を格納する格納手段を有し、以後前記マルチキャストサービスと同じサービスに対する配信要求があった時、この格納手段の対応情報から秘匿キーを読出すようにしたことを特徴とする。また、前記生成手段は、前記秘匿キーを、前記マルチキャストサービスの配信元を示すアドレスに対応して生成することを特徴とする。
【００１２】
更に、前記生成手段により生成された秘匿キーにより前記マルチキャストサービスデータに対して秘匿処理を施して要求元のユーザへ配信する秘匿処理手段と、前記秘匿キーを前記要求元のユーザへ送信する手段とを含むことを特徴とする。
【００１３】
本発明によるマルチキャストサービスデータ配信方法は、移動体通信システムにおいてマルチキャストサービスデータを秘匿キーにより秘匿してユーザへ配信するようにしたマルチキャストサービスデータ配信方法であって、複数のマルチキャストサービスの各々に対応して前記秘匿キーを生成する生成ステップを含むことを特徴とする。
【００１４】
そして、マルチキャストサービスの各々と秘匿キーとの対応を予め定めた対応表を設けておき、前記生成ステップは、ユーザからの配信要求のあったマルチキャストサービスを元に前記対応表を参照して秘匿キーを生成することを特徴とする。
【００１５】
また、前記生成ステップは、前記ユーザからの配信要求のあったマルチキャストサービスが最初の配信要求であった場合、このマルチキャストサービスに対して未使用の秘匿キーを割当てるようにしたことを特徴とする。また、前記マルチキャストサービスと割当てられた秘匿キーとの対応情報を格納する格納手段を設けておき、前記生成ステップは、以後前記マルチキャストサービスと同じサービスに対する配信要求があった時、この格納手段の対応情報から秘匿キーを読出すようにしたことを特徴とする。また、前記生成ステップは、前記秘匿キーを、前記マルチキャストサービスの配信元を示すアドレスに対応して生成することを特徴とする。
【００１６】
更に、前記生成ステップにより生成された秘匿キーにより前記マルチキャストサービスデータに対して秘匿処理を施して要求元のユーザへ配信する秘匿処理ステップと、前記秘匿キーを前記要求元のユーザへ送信するステップとを含むことを特徴とする。
【００１７】
本発明による秘匿キー生成装置は、移動体通信システムにおいてマルチキャストサービスデータを秘匿キーにより秘匿してユーザへ配信するようにしたマルチキャストサービスデータ配信システムにおける秘匿キー生成装置であって、複数のマルチキャストサービスの各々に対応して前記秘匿キーを生成する手段を含むことを特徴とする。
【００１８】
本発明によるプログラムは、移動体通信システムにおいてマルチキャストサービスデータを秘匿キーにより秘匿してユーザへ配信するようにしたマルチキャストサービスデータ配信システムにおける秘匿キー生成装置の動作をコンピュータにより実行させるためのプログラムであって、複数のマルチキャストサービスの各々に対応して前記秘匿キーを生成するステップを含むことを特徴とする。
【００１９】
本発明による秘匿キー送信装置は、移動体通信システムにおいてマルチキャストサービスデータを秘匿キーにより秘匿してユーザへ配信するようにしたマルチキャストサービスデータ配信システムにおける秘匿キー送信装置であって、前記ユーザからのマルチキャストサービス要求に応答して、このマルチキャストサービスに対応して生成された秘匿キーを、前記ユーザへ送信する送信手段を有することを特徴とする。
【００２０】
本発明による秘匿キー送信方法は、移動体通信システムにおいてマルチキャストサービスデータを秘匿キーにより秘匿してユーザへ配信するようにしたマルチキャストサービスデータ配信システムにおける秘匿キー送信方法であって、前記ユーザからのマルチキャストサービス要求に応答して、このマルチキャストサービスに対応して生成された秘匿キーを、前記ユーザへ送信する送信ステップを有することを特徴とする。
【００２１】
本発明の作用を述べる。マルチキャストサービスデータに対して秘匿をかけるための秘匿キーの生成方法として、マルチキャストサービスにそれぞれ対応して秘匿キーを生成して秘匿処理するようにしたので、この秘匿処理されたマルチキャストサービスデータは、無線エリアの共通チャネルで送信できることになり、加入していないユーザにサービスデータが解読できないようにすることができる。
【００２２】
【発明の実施の形態】
以下に、本発明の実施例について図面を参照しつつ説明する。図１は本発明の実施例が適用される移動体通信システムにおけるマルチキャストサービスデータ配信システムの概略ブロック図である。図１を参照すると、無線基地局（以下、単に基地局と称す）１ａ〜１ｄの各サービスエリア（セル）には、移動局（ＵＥ）１０ａ〜１０ｅがそれぞれ在圏しているものとする。
【００２３】
基地局１ａ，１ｂは無線基地局制御局（以下、単に基地局制御局と称す）２ａに、基地局１ｃ及び１ｄは基地局制御局２ｂ及び２ｃにそれぞれ接続されている。基地局制御局２ａはＳＧＳＮ（Ｓｅｒｖｉｎｇ　ＧＰＲＳ（Ｇｅｎｅｒａｌ　Ｐａｃｋｅｔ　Ｒａｄｉｏ　Ｓｅｒｖｉｃｅ）Ｓｕｐｐｏｒｔ　Ｎｏｄｅ）３ａに、また基地局制御局２ｂ，２ｃはＳＧＳＮ３ｂに、それぞれ接続されている。そして、ＳＧＳＮ３ａ，３ｂはＧＧＳＮ（Ｇａｔｅｗａｙ　ＧＰＲＳ　Ｓｕｐｐｏｒｔ　Ｎｏｄｅ　）４に接続されている。ＳＧＳＮ及びＧＧＳＮはパケット交換機能を実現する機能を有するものであり、３ＧＰＰ（３ｒｄ　Ｇｅｎｅｒａｔｉｏｎ　Ｐａｒｔｎｅｒｓｈｉｐ　Ｐｒｏｊｅｃｔｓ　）により規定されたものである。
【００２４】
このＧＧＳＮ４はマルチキャスト制御装置５を介してマルチキャストサービスのためのコンテンツサーバ６ａ，６ｂに接続されている。なお、本例では、コンテンツサーバ６ｂはインターネット網内に存在しているものとして示している。ＳＧＳＮ３ａ，３ｂ及びＧＧＳＮ４は移動体通信システムのコアネットワーク（ＣＮ）を構成し、基地局１ａ〜１ｄ及び基地局制御局２ａ〜２ｃは無線アクセスネットワーク（ＲＡＮ）を構成している。
【００２５】
先ず、本発明の前提として、マルチキャストサービスの提供を受けるユーザの移動局（ＵＥ）である携帯端末において、どの様なマルチキャストサービスが存在するかを、ユーザが知ることが必要であり、そのために、メニューリストの生成、配信が必要となる。そこで、マルチキャスト制御装置５において、最新のマルチキャストサービスのメニューリストが生成されることになる。すなわち、マルチキャスト制御装置５において、定期的にコンテンツサーバ６ａ，６ｂから最新のマルチキャストサービスの情報（当該サービスにより提供されるコンテンツの見出し等）を受け、図２に示す如きメニューリストが作成される。
【００２６】
図２において、第１番目（１）のマルチキャストサービスは、コンテンツの見出しが“Ａ”であり、第２番目（２）のマルチキャストサービスは、コンテンツの見出しが“Ｂ”であることを示している。このメニューリストがマルチキャスト制御装置５にて作成され、ＧＧＳＮ４、ＳＧＳＮ３ａ，３ｂ、基地局制御局２ａ〜２ｃ及び基地局１ａ〜１ｄを介して不特定多数のユーザの携帯端末へブロードキャストされる。このブロードキャストは、ＳＧＳＮ３ａ，３ｂによるページングメッセージを発生することにより行われる。
【００２７】
このページングメッセージにより、メニューリストをブロードキャストする代りに、図３に示す如く、コアネットワーク（ＣＮ）内にブロードキャストセンタ７を別に設けておき、マルチキャスト制御装置５からメニューリストをこのブロードキャストセンタ７へ送信して、このブロードキャストセンタ７からブロードキャストを行う方式でも良いものである。なお、図３において、図１と同等部分は同一符号にて示しており、ブロードキャストセンタ７を設けた以外は、図１の構成と同じである。
【００２８】
ユーザはブロードキャストされた図２のメニューリストを参照して、ユーザが希望するマルチキャストサービスを選択することになる。図４は、ユーザがマルチキャストサービスを選択する操作をトリガとした本実施例の動作シーケンス図である。図４を参照すると、ユーザのマルチキャストサービス選択操作に応答して、携帯端末（ＵＥ）はＲＡＮを介してＳＧＳＮへ“マルチキャストＣｏｎｔｅｘｔ　Ａｃｔｉｖａｔｅ要求”を送信する（ステップＳ１）。ＳＧＳＮはこのユーザの認証を行うために、セキュリティ処理を起動し実行する（ステップＳ２）。
【００２９】
このユーザからの“Ａｃｔｉｖａｔｅ要求”が、ＳＧＳＮにとって始めてのものであれば、ＧＧＳＮに対してＧＴＰ（ＧＰＲＳ　Ｔｕｎｎｅｌｉｎｇ　Ｐｒｏｔｏｃｏｌ　）トンネルの設定を要求するために、ＳＧＳＮは“マルチキャストＣｏｎｔｅｘｔ　設定要求”を送信する（ステップＳ３）。
【００３０】
ＧＧＳＮでは、ＳＧＳＮからのトンネル設定要求がこのＧＧＳＮにとって始めてのマルチキャストサービスに対するものであれば、マルチキャスト制御装置（ＭＢ−ＳＣ：Ｍｕｌｔｉｃａｓｔ　Ｂｒｏａｄｃａｓｔ　Ｃｅｎｔｅｒ）を介してコンテンツサーバへ加入するための“Ｊｏｉｎ”信号である“Ｊｏｉｎ　ＩＰ　Ｍｕｌｔｉｃａｓｔ　”を送信する（ステップＳ４）。
【００３１】
ここで、マルチキャストサービスへの加入が正常であれば、ＧＧＳＮはＳＧＳＮに対して“マルチキャストＣｏｎｔｅｘｔ　設定応答”を送信する（ステップＳ５）。この“マルチキャストＣｏｎｔｅｘｔ　設定応答”を受信すると、ＳＧＳＮは秘匿キーを生成することになる（ステップＳ６）。この秘匿キーの生成処理の動作を図５のフローを参照しつつ説明する。
【００３２】
ＧＧＳＮからの”　マルチキャストＣｏｎｔｅｘｔ　設定応答“を受信すると（ステップＳ２１）、ＳＧＳＮでは、ユーザが選択したマルチキャストサービスに対応した秘匿キーをテーブル１０より検索する（ステップＳ２２）。このテーブル１０はメモリであって、図６（Ａ）に示す如く、予めマルチキャストサービスと秘匿キーとの対応表が格納されているものとする。
【００３３】
ユーザが選択したマルチキャストサービスを特定するための情報は、“マルチキャストサービスＣｏｎｔｅｘｔ　Ａｃｔｉｖａｔｅ要求”に含まれているので、ＳＧＳＮはこの情報によりユーザが選択したマルチキャストサービスを知ることができる。
【００３４】
また、ユーザが選択したマルチキャストサービスを特定するための情報としては、当該サービスの提供元を示すアドレスが含まれているので、このアドレスとマルチキャストサービスとが一対一に対応するものであれば、テーブル１０として、図６（Ｂ）に示す様なマルチキャストサービスのアドレスと秘匿キーとが予め対応づけられたテーブルを用いることができる。
【００３５】
この場合のアドレスは、一般にＩＰ（Ｉｎｔｅｒｎｅｔ　Ｐｒｏｔｏｃｏｌ　）アドレスが用いられる。こうして得られたものが当該マルチキャストサービスデータの秘匿のための秘匿キーとなる（ステップＳ２３）。
【００３６】
図７はＳＧＳＮにおける秘匿キー生成処理Ｓ６の他の例を示すフローである。図７を参照すると、ＧＧＳＮからの“マルチキャストＣｏｎｔｅｘｔ　設定応答”を受信すると（ステップＳ３１）、ＳＧＳＮでは、このマルチキャストサービスに対する最初のユーザかどうかを判定し（ステップＳ３２）、そうであれば、このマルチキャストサービスに対応して未使用の秘匿キーの一つを割当てる（ステップＳ３３）。この秘匿キーを当該マルチキャストサービスに対応してメモリ２０へ格納する（ステップＳ３４）。このメモリ２０の格納情報の例としては、図８に示す様に、マルチキャストサービスと秘匿キーとの対応テーブルである。図８では、マルチキャストサービスＡに対して秘匿キーａが割当てられていることを示している。
【００３７】
ステップＳ３２において、“ＮＯ”であれば、既にステップＳ３３，Ｓ３４にて当該マルチキャストサービスに対して秘匿キーが割り当てられているので、メモリ２０内に対応情報が格納されている。従って、このメモリ２０の対応情報を検索してそのマルチキャストサービスに対する秘匿キーを読出す（ステップＳ３５）。この読出し結果（検索結果）を秘匿キーとするのである（ステップＳ３６）。
【００３８】
再び図４を参照すると、ＳＧＳＮはＲＡＮに対してマルチキャストサービスデータを転送するための無線アクセスベアラ（ＲＡＢ：Ｒａｄｉｏ　Ａｃｃｅｓｓ　Ｂｅａｒｅｒ　）設定を要求するために、“ＲＡＢ　Ａｓｓｉｇｎｍｅｎｔ　Ｒｅｑｕｅｓｔ”を送信する。このとき、生成した秘匿キーをこの“Ｒｅｑｕｅｓｔ　”に設定する（ステップＳ７）。
【００３９】
もし、このマルチキャストサービスが以前に既に無線エリアの共通チャネルで転送されているならば、ＳＧＳＮはこのマルチキャストサービス用の秘匿キーを、この“ＲＡＢ　Ａｓｓｉｇｎｍｅｎｔ　Ｒｅｑｕｅｓｔ”に設定しない。ＲＡＮは、マルチキャストサービス用の秘匿キーが設定されていないことにより、既に無線エリアの共通チャネルで秘匿しているものを引続き送信することになる。
【００４０】
続いて、ＲＡＮは無線ベアラ（ＲＢ）をユーザ端末（ＵＥ）である移動局との間に設定する。これが“ＲＢ　Ｓｅｔｕｐ”として示されている（ステップＳ８）。移動局から無線ベアラが設定されたことを示す“ＲＢ　Ｓｅｔｕｐ　Ｃｏｍｐｌｅｔｅ　”がＲＡＮへ送信される（ステップＳ９）。これに応答して、ＲＡＮは無線アクセスベアラの設定が終了したことをＳＧＳＮへ知らせるために、“ＲＡＢ　Ａｓｓｉｇｎｍｅｎｔ　Ｒｅｓｐｏｎｓｅ　”を送信する（ステップＳ１０）。そして、ＲＡＮはマルチキャストサービスデータ（送信元のコンテンツサーバから、ＭＢ−ＳＣ，ＧＧＳＮ，ＳＧＳＮ，ＲＡＮの間に上記の各手順で既にベアラが設定されており、このベアラを介してダウンロードされてくるデータ）に対して、秘匿キーを用いて秘匿をかける（ステップＳ１１）。
【００４１】
こうして秘匿処理されたマルチキャストサービスデータは、上述の手順にて設定された無線ベアラである無線エリアの共通チャネルを用いて、ＲＡＮから送出される（ステップＳ１２）。同時に、ステップＳ１における“マルチキャストＣｏｎｔｅｘｔ　Ａｃｔｉｖａｔｅ要求”に対する応答として、ＳＧＳＮからＲＡＮを介して“マルチキャストＣｏｎｔｅｘｔ　Ａｃｔｉｖａｔｅ受付”に当該秘匿キーを設定して送信する（ステップＳ１３）。この場合の送信は、ユーザ個別の個別チャネル（ｄｅｄｉｃａｔｅｄ　ｃｈａｎｎｅｌ　）にて行われる。ユーザ端末では、この“マルチキャストＣｏｎｔｅｘｔ　Ａｃｔｉｖａｔｅ受付”を受信すると、正常にマルチキャストサービスに加入できたものと判断して、それに設定されている秘匿キーを取出し、既に無線エリアの共通チャネルで転送されているマルチキャストサービスデータを受信し、そのデータを解読するのである。
【００４２】
以上のシーケンスに従って、ユーザ設定ができると、図９の太線１００で示す様なマルチキャストサービスデータの配信が行われる。なお、図９では、ある一つのユーザ設定がなされる以前に、既に他のユーザが同じマルチキャストサービスデータを受信している様子を示しているものとする。
【００４３】
【発明の効果】
以上述べたように、本発明によれば、マルチキャストサービス毎に秘匿キーを定めてマルチキャストサービスデータ秘匿処理を施すようにしているので、マルチキャストサービスデータを無線エリアのある共通チャネルで転送することができ、このマルチキャストサービスに加入していないユーザがそのデータを解読することができないようにすることが可能となり、よってこのサービスに加入しているユーザのみがそのデータの解読ができかつ当該ユーザのみに対して課金ができるという効果がある。
【図面の簡単な説明】
【図１】本発明の実施例が適用される移動体通信システムにおけるマルチキャストサービスのための機能ブロック図である。
【図２】マルチキャストサービスのためのユーザ端末（移動局）でのメニューリストの例を示す図である。
【図３】本発明の実施例が適用される移動体通信システムにおけるマルチキャストサービスのための他の機能ブロック図である。
【図４】本発明の実施例の動作を示すシーケンス図である。
【図５】本発明の実施例における秘匿キー生成のための動作フローの例を示す図である。
【図６】図５のテーブルの例を示す図である。
【図７】本発明の実施例における秘匿キー生成のための動作フローの他の例を示す図である。
【図８】図７のメモリの格納情報の例を示す図である。
【図９】本発明の実施例が適用される移動体通信システムにおけるマルチキャストサービスの配信例を説明する図である。
【符号の説明】
１ａ〜１ｄ　基地局
２ａ〜２ｃ　基地局制御局
３ａ，３ｂ　ＳＧＳＮ
４　ＧＧＳＮ　　　　　５　マルチキャスト制御装置
６ａ，６ｂ　コンテンツサーバ
７　ブロードキャストセンタ
【図１】
2004032711.tif 000003
【図２】
2004032711.tif 000004
【図３】
2004032711.tif 000005
【図４】
2004032711.tif 000006
【図５】
2004032711.tif 000007
【図６】
2004032711.tif 000008
【図７】
2004032711.tif 000009
【図８】
2004032711.tif 000010
【図９】
2004032711.tif 000011